(57)【要約】【課題】巻物のような横長のデータのスクロールをスムースに行えるようにする。【解決手段】ドライブ装置１０とディスプレイ装置１１のビデオメモリ１２間にバッファメモリ１３を設ける。そのバッファメモリ１３に先に読みだしたデータ１４ａ〜１４ｄよりも少し後方に表示するデータ１４ｅ〜１４ｈを順次読み出して展開し、展開したデータをビデオメモリ１２へ送出してディスプレイ装置１１に表示させる。そして、前記ドライブ装置１０からバッファメモリ１３へのデータの読み出しを繰り返し行って、ディスプレイ装置１１の表示を行うことにより、ドライブ装置１０の転送速度が遅れてもバッファメモリ１３に読み込んだデータを使用してスクロールをスムースに行うことができる。【選択図】図２
2007033759.tif 000002
【特許請求の範囲】
【請求項１】
複数のディスプレイ装置を一列に配置して、そのディスプレイ装置ごとに設けたバッファメモリへ、ドライブ装置に保存した表示が複数の画面にわたる画像データから一画面分のデータを順次読みだして展開し、その展開したデータをビデオメモリへ送出して各ディスプレイ装置に表示させたのち、前記各ディスプレイ装置のバッファメモリに、ドライブ装置から先に読み出したデータよりも少し後方あるいは前方から表示するデータを順次読み出して展開し、展開したデータをビデオメモリへ送出してディスプレイ装置に表示し、前記ドライブ装置からバッファメモリへのデータの読み出しを繰り返し行って表示を行う画像データの展示方法。
【発明の詳細な説明】
【技術分野】
【０００１】
この発明は、展示用に使用するディスプレイ装置のための画像データの展示方法に関するものである。
【背景技術】
【０００２】
複数のディスプレイ装置を使った展示装置として（特許文献１）に示すものがある。この装置は、図９に示すように、複数のハイビジョンモニタ１を使用するもので、各ハイビジョンモニタ１に、静止画像展示装置２とシステム制御装置３を接続する構成となっている。
【０００３】
前記各モニタ１の静止画像展示装置２は、図１０に示すように、ビデオコントローラ４にフレームメモリ５を備えるとともに、光ドライブ装置６を備える構成となっており、前記フレームメモリ５へ光ドライブ装置６から表示データを転送して前記モニタ１に表示させるようになっている。そのため、各モニタ１の静止画像展示装置２は、レディ信号を用いて表示を同期させるようにしている。
【特許文献１】特開平８−１４９４００号公報
【発明の開示】
【発明が解決しようとする課題】
【０００４】
しかしながら、上記の展示装置では、各モニタの表示データは、モニタごとに設けられた静止画像展示装置の光ドライブ装置に保存して、光ドライブ装置から直接フレームメモリへ転送して表示を行っているので、各モニタの表示を連係させるような場合に問題がある。例えば図３に示すような、巻物のような横長の画像の表示を複数のディスプレイ装置１１を介してスクロールしたときである。この場合、各ディスプレイ装置１１の表示を連動させたいが、そのためには、図９の各モニタ１の静止画像展示装置２は、各々の光ドライブ装置６からデータを読みだして表示しなければならない。ところが、ドライブ装置のデータの転送速度は一様（ディスクの内周と外周とでは転送速度が異なる）ではなく、ディスプレイの数が増すに連れて同期させるのは難しい。
【０００５】
そこで、この発明の課題は、複数のディスプレイ画面にわたって表示される巻物のような横長の画像のスクロールをスムースに行えるようにすることである。
【課題を解決するための手段】
【０００６】
上記の課題を解決するため、この発明では、ドライブ装置とディスプレイ装置のビデオメモリ間にバッファメモリを設け、そのバッファメモリに先に読みだしたデータよりも少し後方あるいは前方から表示するデータを順次読み出して展開し、展開したデータをビデオメモリに送出してディスプレイ装置に表示させるとともに、前記ドライブ装置からバッファメモリへのデータの読み出しを繰り返し行って、ディスプレイ装置の表示を行うという方法を採用したのである。
【０００７】
このような構成を採用し、バッファメモリを設けたので、ドライブ装置の転送速度が遅れてもバッファメモリに読み込んだデータを使用して画像のスクロールをスムースに行うことができる。
【発明の効果】
【０００８】
この発明は、上記のように構成したことにより、巻物のような横長の画像のスクロールをスムースに行うことができる。
【発明を実施するための最良の形態】
【０００９】
以下、この発明の実施の形態を図面に基づいて説明する。
【００１０】
この形態の展示装置は、図１に示すように、ドライブ装置１０とディスプレイ装置１１のビデオメモリ１２間にバッファメモリ１３を設けた構成となっている。
【００１１】
ドライブ装置１０は、ハードディスクドライブ、コンパクトディスクドライブ、ＤＶＤドライブ装置などの外部記憶装置である。
【００１２】
また、ディスプレイ装置１１は、高精細なモニタ装置（以下：ディスプレイ装置をモニタ装置と称する）などに、ビデオメモリ１２を備えた描画エンジンなどによって画像を表示できるようにしたもので、バッファメモリ１３は緩衝用のメモリである。
【００１３】
この形態では、図２に示すような、ドライブ装置１０に保存した複数の画面にわたって巻物のような横長の表示を行う画像データ１４から、モニタ装置１１に表示する分（図２では４台）のデータ１４ａ〜１４ｄを読み出し（切り取り）、一旦、バッファメモリ１３に展開する。そして、その展開したデータはビデオメモリ１２へ送出してモニタ装置１１に表示させる。次に、前記バッファメモリ１３に、先に読みだしたデータよりも少し後方（図２では左方向）あるいは前方から表示するデータ１４ｅ〜１４ｈを読み出して展開し、ビデオメモリ１２へ送出してモニタ装置１１に表示させる。こうしてデータ１４の読み出しを順次繰り返し、読み出したデータ１４でモニタ装置１１の表示を順次行うと、図３のように巻物と同じような横長の表示のスクロールを行うことができる。
【００１４】
その際、バッファメモリ１３を設けたことにより、ドライブ装置の転送速度が遅れてもバッファメモリ１３に読み出したデータを使用することができるので、スクロール表示もスムースに行える。
【実施例１】
【００１５】
この実施例１は、図４に示すように、展示装置を複数台の高精細のモニタ装置１１とパソコン２１とで構成したものである。
【００１６】
具体的には、４台の高精細のモニタ装置１１ごとに１台のパソコン２１を接続したものをユニットとして、このユニットを必要個数直列に配置し、ホストコンピュータ２２と接続する構成となっている。
【００１７】
また、各ユニットのモニタ装置１１には、例えばプラズマ、液晶、ブラウン管などディスプレイにはどのようなものを使用したものでもよいが、ここでは、ＤＶＩ端子（Ｄｉｇｉｔａｌ  ｖｉｄｅｏ  ｉｎｔｅｒｆａｃｅ）を備えたパソコン２１との親和性の高いものを使用している。
【００１８】
パソコン２１は、図示していないが、ビデオメモリを備えたビデオカードを複数枚使用できるもので、各カードはＤＶＩ端子を有するものである。また、その際、パソコンのＯＳ（ｏｐｅｒａｔｉｎｇ  ｓｙｓｔｅｍ）には、複数のディスプレイ装置をサポートするものを使用している。
【００１９】
また、このパソコン２１の図示していないが、メインメモリの一部をバッファメモリ１３として使用できるように設定してある。
【００２０】
この実施例のホストコンピュータ２２は、表示データを保存するためのハードディスクドライブ装置を備えたもので、各ユニットのパソコン２１とは、例えば、ＬＡＮ接続によりＬＩＮＫさせてある。
【００２１】
この実施例は、上記のように構成されており、図５（ａ）のように、各ユニットのモニタ装置１１を上下２段にして一列に配置する。また、ホストコンピュータ２２には、絵巻物（古文書）を画像データとしてスクロール可能に保存したデータと、前記データを口語に訳してスクロール可能に作成したデータとを表示データとしてハードディスク装置に保存してある。
【００２２】
いま、ホストコンピュータは、図５（ａ）に示すように、モニタ装置１１の上段に絵巻物の原本のファイルを表示させ、下段には口語訳のファイルを表示させる。
【００２３】
その表示のため、図６に示すような処理を実行する（「処理」１００：以下「処理」省略）。まず、最初の１台目のモニタ画面に表示させる分から順次データをファイルから読み出して（切り取って）（１１０）、それぞれのパソコン２１へ転送する。パソコン２１では送られたデータを、一旦、それぞれのモニタ装置１１用に設定したバッファメモリ１３へ保存し（１２０）、保存したデータはビデオメモリ１２へ順次転送してモニタ装置１１に表示する。すなわち、図５（ａ）のように、上段に原本を表示し、下段には口語訳を表示する。
【００２４】
次に、ホストコンピュータ２２は、ここでは、先に読みだしたデータよりも少し後方のデータを１画面分ずつ順次読み出して（切り取って）（１３０）、順次対応するパソコン２１のバッファメモリ１３へ展開し、表示させる。その状態を図５（ｂ）に示す。図５（ｂ）では、読み出しを複数回行って１画面移動した状態を示している（同図（ａ）と（ｂ）間で：Ｃ→Ｃ、Ｄ→Ｄ・・・）。このとき、モニタ装置１１に表示される画像は、絵巻物を巻き取りながら読むように順次スムースにスクロールすることができる。
【００２５】
このようにすることにより、巻物のような横長のデータのスクロールをスムースに行うことができる。
【実施例２】
【００２６】
この実施例は、ホストコンピュータ２２を用いないで、小規模な展示を行う場合の例を示したもので、図７に示すように、１台のパソコン２１と４台のモニタ装置１１で構成したものである。
【００２７】
そのため、パソコン２１には、ドライブ装置１０としてＤＶＤドライブ装置を設けるか、あるいはハードディスク装置に画像データを保存するようにしてある。
【００２８】
そして、前記ドライブ装置１０に保存したモニタ画面に表示させる分のデータを順次読み出し（切り取って）、バッファメモリ１３へ展開して保存したデータを順次モニタ装置１１に表示することにより、巻物のような横長のデータのスクロールをスムースに行うと言うものである。他の構成及び作用効果については、実施例１のものと同じなので説明は省略する。
【実施例３】
【００２９】
この実施例は、図８に示すように、モニタ装置１１を円形の壁面に３６０度に配置したもので、そのため、表示させるデータをリング状にしてエンドレスに表示できるようにしたものである。他の構成及び作用効果については先に述べたものと同じなので説明は省略する。
【００３０】
なお、この形態では、モニタ装置を横方向へ一列に配置したものについて述べたが、これに限定されるものではない。これ以外にも、縦方向や一列に並べたものを複数列配置して面状に配置したものでも構わない。
【図面の簡単な説明】
【００３１】
【図１】実施形態のブロック図
【図２】実施形態の作用説明図
【図３】実施形態の作用説明図
【図４】第１実施例のブロック図
【図５】（ａ）、（ｂ）第１実施例の作用説明図
【図６】第１実施例のフローチャート
【図７】第２実施例のブロック図
【図８】第３実施例の作用説明図
【図９】従来例のブロック図
【図１０】従来例のブロック図
【符号の説明】
【００３２】
１０  ドライブ装置
１１  ディスプレイ装置
１２  ビデオメモリ
１３  バッファメモリ
１４  データ
２１  パソコン
２２  ホストコンピュータ
【図１】
2007033759.tif 000003
【図２】
2007033759.tif 000004
【図３】
2007033759.tif 000005
【図４】
2007033759.tif 000006
【図５】
2007033759.tif 000007
【図６】
2007033759.tif 000008
【図７】
2007033759.tif 000009
【図８】
2007033759.tif 000010
【図９】
2007033759.tif 000011
【図１０】
2007033759.tif 000012